(57)【要約】      （修正有）【課題】抗菌効果や消臭効果、アンチエイジング効果、美肌効果、美髪効果、健康維持効果を高める靴下類を提供する。【解決手段】本靴下類は、白金をナノサイズの微小粒子にした白金ナノコロイド１の水溶液に浸し、乾燥させることで、靴下類を構成する繊維２の表面に該白金ナノコロイド１を定着させたことを特徴とする。白金ナノコロイドは、白金の触媒作用によって皮膚表面等の活性酸素を除去する抗酸化作用を有している。特に、十数種類ある活性酸素のほぼ全ての活性酸素を除去する効果が認められている。さらに、白金ナノコロイドは触媒として作用するために、持続的に抗酸化作用を発揮することができる。【選択図】図１
0003153889.tif 000002
【実用新案登録請求の範囲】
【請求項１】
繊維で構成された靴下類であって、
着用時に脚に当接する脚部と、
上記脚部から連続して編成され、着用時に足の甲に当接する足甲部と、
上記足甲部から連続して編成され、着用時に爪先に当接する爪先部と、
上記足甲部から連続して編成され、着用時に足底に当接する足底部と、
上記脚部から連続して編成され、着用時に踵に当接する踵部と、
を備え、
上記各部は上記繊維で構成されており、上記各部を白金粒子が分散した白金ナノコロイドの水溶液に浸した後、乾燥させることで、上記各部を構成する上記繊維の表面に上記白金ナノコロイドの上記白金粒子を定着させたことを特徴とする靴下類。
【請求項２】
繊維で構成された靴下類であって、
着用時に脚に当接する脚部と、
上記脚部から連続して編成され、着用時に足の甲に当接する足甲部と、
上記足甲部から連続して編成され、着用時に爪先に当接する爪先部と、
上記足甲部から連続して編成され、着用時に足底に当接する足底部と、
上記脚部から連続して編成され、着用時に踵に当接する踵部と、
を備え、
上記各部は上記繊維で構成されており、上記各部のうちの一部にのみ、白金粒子が分散した白金ナノコロイドの水溶液を噴霧して、乾燥させることで、該一部を構成する上記繊維の表面にのみ上記白金ナノコロイドの上記白金粒子を定着させたことを特徴とする靴下類。
【請求項３】
繊維で構成された靴下類であって、
着用時に脚に当接する脚部と、
上記脚部から連続して編成され、着用時に足の甲に当接する足甲部と、
上記足甲部から連続して編成され、着用時に爪先に当接する爪先部と、
上記足甲部から連続して編成され、着用時に足底に当接する足底部と、
上記脚部から連続して編成され、着用時に踵に当接する踵部と、
を備え、
上記各部は上記繊維で構成されており、上記各部を白金粒子が分散した白金ナノコロイドの水溶液に浸した後、乾燥させることで、上記各部を構成する上記繊維の表面に上記白金ナノコロイドの上記白金粒子を定着させた後、更に上記各部のうちの一部にのみ、上記白金粒子が分散した上記白金ナノコロイドの水溶液を噴霧して、乾燥させることで、該一部を構成する上記繊維の表面にのみ上記白金ナノコロイドの上記白金粒子を更に定着させたことを特徴とする靴下類。
【請求項４】
繊維で構成された靴下類であって、
着用時に脚に当接する脚部と、
上記脚部から連続して編成され、着用時に足の甲に当接する足甲部と、
上記足甲部から連続して編成され、着用時に爪先に当接する爪先部と、
上記足甲部から連続して編成され、着用時に足底に当接する足底部と、
上記脚部から連続して編成され、着用時に踵に当接する踵部と、
を備え、
上記各部は上記繊維で構成されており、上記各部の着用時に内側となる面にのみ、白金粒子が分散した白金ナノコロイドの水溶液を噴霧して、乾燥させることで、該各部を構成する上記繊維の上記内側にのみ上記白金ナノコロイドの上記白金粒子を定着させたことを特徴とする靴下類。
【請求項５】
上記各部のうちの一部とは、上記爪先部、上記足底部、上記踵部の少なくともいずれかであることを特徴とする請求項２又は３のいずれかに記載の靴下類。
【考案の詳細な説明】
【技術分野】
【０００１】
本考案は、例えば、靴下やパンティストッキング等の靴下類に関する。
【背景技術】
【０００２】
従来、例えば、靴下やパンティストッキング等の靴下類は、人の肌に密着するものであることから、抗菌性や消臭性等が求められている。
【０００３】
このような要求に鑑み、例えば特許文献１では、足裏に対応する靴下底部の内面に、少なくとも銀と酸化チタンとゲルマニウムの各微粉末を担持させた担持体を多数、点着してなる靴下が開示されている。
【先行技術文献】
【特許文献】
【０００４】
【特許文献１】特開２００６−２２５８１６号公報
【考案の概要】
【考案が解決しようとする課題】
【０００５】
しかしながら、前述した先行技術は、消臭効果や殺菌効果に着目したもので、アンチエイジング効果、美肌効果、美髪効果、疲労回復効果、健康維持効果には着目されていない。
【０００６】
今日では、白金をナノサイズの微小粒子にした所謂「白金ナノコロイド」が、これら全ての効果を高めるものとして注目されているが、白金ナノコロイドを利用した靴下類は実現されていないのが実状である。
【０００７】
そこで、本考案は、上述の技術的な課題に鑑みて、白金ナノコロイドの白金粒子を繊維の表面に付着させることで、抗菌効果や消臭効果、アンチエイジング効果、美肌効果、美髪効果を高める靴下類を提供することを目的とする。
【課題を解決するための手段】
【０００８】
上述技術的な課題を解決するため、本考案の第１の態様に係る靴下類は、繊維で構成された靴下類であって、着用時に脚に当接する脚部と、上記脚部から連続して編成され、着用時に足の甲に当接する足甲部と、上記足甲部から連続して編成され、着用時に爪先に当接する爪先部と、上記足甲部から連続して編成され、着用時に足底に当接する足底部と、上記脚部から連続して編成され、着用時に踵に当接する踵部と、を備え、上記各部は上記繊維で構成されており、上記各部を白金粒子が分散した白金ナノコロイドの水溶液に浸した後、乾燥させることで、上記各部を構成する上記繊維の表面に上記白金ナノコロイドの上記白金粒子を定着させたことを特徴とする。
【０００９】
本考案の第２の態様に係る靴下類は、繊維で構成された靴下類であって、着用時に脚に当接する脚部と、上記脚部から連続して編成され、着用時に足の甲に当接する足甲部と、上記足甲部から連続して編成され、着用時に爪先に当接する爪先部と、上記足甲部から連続して編成され、着用時に足底に当接する足底部と、上記脚部から連続して編成され、着用時に踵に当接する踵部と、を備え、上記各部は上記繊維で構成されており、上記各部のうちの一部にのみ、白金粒子が分散した白金ナノコロイドの水溶液を噴霧して、乾燥させることで、該一部を構成する上記繊維の表面にのみ上記白金ナノコロイドの上記白金粒子を定着させたことを特徴とする。
【００１０】
本考案の第３の態様に係る靴下類は、繊維で構成された靴下類であって、着用時に脚に当接する脚部と、上記脚部から連続して編成され、着用時に足の甲に当接する足甲部と、上記足甲部から連続して編成され、着用時に爪先に当接する爪先部と、上記足甲部から連続して編成され、着用時に足底に当接する足底部と、上記脚部から連続して編成され、着用時に踵に当接する踵部と、を備え、上記各部は上記繊維で構成されており、上記各部を白金粒子が分散した白金ナノコロイドの水溶液に浸した後、乾燥させることで、上記各部を構成する上記繊維の表面に上記白金ナノコロイドの上記白金粒子を定着させた後、更に上記各部のうちの一部にのみ、上記白金粒子が分散した上記白金ナノコロイドの水溶液を噴霧して、乾燥させることで、該一部を構成する上記繊維の表面にのみ上記白金ナノコロイドの上記白金粒子を更に定着させたことを特徴とする。
【００１１】
本考案の第４の態様に係る靴下類は、繊維で構成された靴下類であって、着用時に脚に当接する脚部と、上記脚部から連続して編成され、着用時に足の甲に当接する足甲部と、上記足甲部から連続して編成され、着用時に爪先に当接する爪先部と、上記足甲部から連続して編成され、着用時に足底に当接する足底部と、上記脚部から連続して編成され、着用時に踵に当接する踵部と、を備え、上記各部は上記繊維で構成されており、上記各部の着用時に内側となる面にのみ、白金粒子が分散した白金ナノコロイドの水溶液を噴霧して、乾燥させることで、該各部を構成する上記繊維の上記内側にのみ上記白金ナノコロイドの上記白金粒子を定着させたことを特徴とする。
【００１２】
上記第２，３の態様において、上記記各部のうちの一部とは、上記爪先部、上記足底部、上記踵部の少なくともいずれかであることを特徴とする。
【考案の効果】
【００１３】
本考案に係る靴下類によれば、白金ナノコロイドの白金粒子を、繊維の表面に付着させることで、抗菌効果や消臭効果、アンチエイジング効果、美肌効果、美髪効果を高めることが可能となる。
【図面の簡単な説明】
【００１４】
【図１】（ａ）及び（ｂ）は本考案の実施形態に係る靴下類を構成する繊維に白金ナノコロイドを付着した様子を示す概念図である。
【図２】本考案の第１の実施形態に係る靴下の構成図である。
【図３】本考案の第２の実施形態に係るパンティストッキングの構成図である。
【考案を実施するための形態】
【００１５】
以下、本考案の靴下類に係る好適な実施形態について図面を参照しながら説明する。本考案の靴下類は、以下の記述に限定されるものではなく、本考案の要旨を逸脱しない範囲において、適宜変更可能である。
【００１６】
尚、本願において「靴下類」とは、例えば靴下のほか、パンティストッキング等を概念上含むものとする。
【００１７】
先ず、図１を参照して、第１及び第２の実施形態に共通する概念を説明する。
【００１８】
図１（ａ）、（ｂ）は、靴下類を構成する繊維に白金ナノコロイドを付着させた様子を示している。これらの図に示されるように、靴下類を構成する繊維２には、白金ナノコロイド１が付着されている。より具体的には、靴下類を白金ナノコロイド１の水溶液に浸した後、乾燥させることで、該靴下類を構成する繊維２の表面に白金ナノコロイド１の白金粒子が定着することになる。或いは、靴下類に霧吹き等で白金ナノコロイド１の水溶液を噴霧し、乾燥させることで、該靴下類を構成する繊維２の表面に白金ナノコロイド１の白金粒子が定着することになる。
【００１９】
ここで、「白金ナノコロイド」とは、白金をナノサイズの微小粒子にした白金粒子が均一に分散した状態のものである。なお、図１（ｂ）においては説明の便宜上、白金ナノコロイド１を実際よりも大きくして図示している。白金ナノコロイド１の白金粒子の平均粒径は、例えば１〜１０ｎｍとなっている。この場合、白金ナノコロイドの水溶液とは、平均粒径が１〜１０ｎｍの白金粒子が均一に分散された白金ナノコロイドの水溶液である。但し、これに限定されないことは勿論である。
【００２０】
白金ナノコロイドは、白金の触媒作用によって皮膚表面等の活性酸素を除去する抗酸化作用を有している。特に、十数種類ある活性酸素のほぼ全ての活性酸素を除去する効果が認められている。さらに、白金ナノコロイドは触媒として作用するために、持続的に抗酸化作用を発揮することができる。これにより、アンチエイジング、美肌、美髪効果が奏される。さらに、消臭効果、抗菌効果も奏される。白金ナノコロイドの中には、社団法人繊維評価技術評議会が定める「防奥抗菌加工／制菌加工繊維製品」のＳＥＫマークの特定赤マークを取得したものもある。また、白金自体は食品添加物として厚生労働省より認可が下りているものであるのである。従って、安全性は十分である。
【００２１】
以下、本考案の第１及び第２の実施形態について説明する。
【００２２】
（第１の実施形態）
【００２３】
図２は、本考案の第１の実施形態に係る靴下の構成図である。なお、靴下には、一般的な長さの「ロークルーソックス」のほか、太もも中央までの長さの「サイハイソックス」、膝上程度の長さの「オーバーザニー」、ほぼ膝下までの長さ「ハイソックス」、ふくらはぎまでの長さの「スリークォーターソックス」、ふくらはぎ中央までの長さ「ブーツソックス」、ロークルーソックスよりもやや長い「クルーソックス」、足首までの長さの「アンクレット」、足袋に近い状態の「スニーカーソックス」等が概念上含まれる。
【００２４】
図２に示されるように、この靴下１０は、履き口部１１から所定幅（例えば数ｃｍ）のゴム口部１２が編成されており、更にゴム口部１２から連続して脚部１３が編成されている。そして、この脚部１３から連続して足甲部１４、踵部１７が編成されており、この足甲部１４に連続して爪先部１５、足底部１６が編成されている。履き口部１１は、靴下１０を履くときに足を挿入する開口部分に相当し、ゴム口部１２は、着用時に靴下１０がズリ落ちないように脚に密着させる付勢力を与える部分である。脚部１３は、着用時に脚部分に当接する部分であり、足甲部１４は着用時に足の甲部分に当接する部分である。爪先部１５は着用時に爪先に当接する部分であり、足底部１６は着用時に足の底に当接する部分であり、踵部１７は着用時に踵が当接する部分である。このほか、踵部１７から爪先部１５にかけて、所定の形状に成形するためのゴアライン１８が設けられている。靴下１０は、繊維が編成、縫合され構成されている。
【００２５】
靴下１０を構成する繊維の表面には白金ナノコロイドが付着されている。より具体的には、靴下１０を白金ナノコロイドの水溶液に浸した後、乾燥させることで、該靴下１０を構成する繊維の表面に白金ナノコロイドの白金粒子を定着させている。靴下１０の所定領域にのみ、霧吹き等で白金ナノコロイドの水溶液を噴霧して、乾燥させることで、該所定領域にのみ白金ナノコロイドの白金粒子を定着させるようにしてもよい。ここで、所定領域とは、爪先部１５や足底部１６、踵部１７等、着用したときに汗をかきやすい部分であってよい。
【００２６】
また、靴下１０を白金粒子が分散した白金ナノコロイドの水溶液に浸し、乾燥させることで、該靴下を構成する繊維の表面に白金ナノコロイドの白金粒子を定着させた後、更に靴下１０の所定領域に白金ナノコロイドの水溶液を噴霧し、乾燥させることで、該所定領域に係る繊維の表面に白金ナノコロイドの白金粒子を更に定着させてもよい。ここで、所定領域とは、爪先部１５や足底部１６、踵部１７等、着用したときに汗をかきやすい部分であってよい。また、着用したときに内側となる面に、白金粒子が分散した白金ナノコロイドの水溶液を噴霧し、乾燥させることで、靴下１０の繊維の内側の表面に白金ナノコロイドの白金粒子を定着させるようにしてもよい。
【００２７】
以上説明したように、本考案の第１の実施形態によれば、繊維を編成、縫合して構成した靴下１０であって、着用時に足を挿入する開口部分に相当する履き口部１１と、上記履き口部１１から連続して編成され、着用時に脚に付勢力を与えるゴム口部１２と、上記ゴム口部１２から連続して編成され、着用時に脚に当接する脚部１３と、上記脚部１３から連続して編成され、着用時に足の甲に当接する足甲部１４と、上記足甲部１４から連続して編成され、着用時に爪先に当接する爪先部１５と、上記足甲部１４から連続して編成され、着用時に足底に当接する足底部１６と、上記脚部１３から連続して編成され、着用時に踵に当接する踵部１７と、を備え、上記各部１１乃至１７は繊維で構成されており、上記各部１１乃至１７をナノサイズ（例えば平均粒径が１〜１ｎｍ）の白金粒子が分散した白金ナノコロイドの水溶液に浸した後、乾燥させることで、上記各部１１乃至１７を構成する上記繊維の表面に白金ナノコロイドの白金粒子を定着させたことを特徴とする靴下１０が提供される。
【００２８】
また、繊維を編成、縫合して構成した靴下１０であって、着用時に足を挿入する開口部分に相当する履き口部１１と、上記履き口部１１から連続して編成され、着用時に脚に付勢力を与えるゴム口部１２と、上記ゴム口部１２から連続して編成され、着用時に脚に当接する脚部１３と、上記脚部１３から連続して編成され、着用時に足の甲に当接する足甲部１４と、上記足甲部１４から連続して編成され、着用時に爪先に当接する爪先部１５と、上記足甲部１４から連続して編成され、着用時に足底に当接する足底部１６と、上記脚部１３から連続して編成され、着用時に踵に当接する踵部１７と、を備え、上記各部１１乃至１７は繊維で構成されており、上記各部１１乃至１７のうちの一部にのみ、霧吹き等でナノサイズ（例えば平均粒径が１〜１ｎｍ）の白金粒子が分散した白金ナノコロイドの水溶液を噴霧して、乾燥させることで、該一部を構成する繊維の表面にのみ白金ナノコロイドの白金粒子を定着させたことを特徴とする靴下１０が提供される。
【００２９】
また、繊維を編成、縫合して構成した靴下１０であって、着用時に足を挿入する開口部分に相当する履き口部１１と、上記履き口部１１から連続して編成され、着用時に脚に付勢力を与えるゴム口部１２と、上記ゴム口部１２から連続して編成され、着用時に脚に当接する脚部１３と、上記脚部１３から連続して編成され、着用時に足の甲に当接する足甲部１４と、上記足甲部１４から連続して編成され、着用時に爪先に当接する爪先部１５と、上記足甲部１４から連続して編成され、着用時に足底に当接する足底部１６と、上記脚部１３から連続して編成され、着用時に踵に当接する踵部１７と、を備え、上記各部１１乃至１７は繊維で構成されており、上記各部１１乃至１７をナノサイズ（例えば平均粒径が１〜１ｎｍ）の白金粒子が分散した白金ナノコロイドの水溶液に浸した後、乾燥させることで、上記各部１１乃至１７を構成する上記繊維の表面に白金ナノコロイドの白金粒子を定着させた後、更に上記各部１１乃至１７のうちの一部にのみ、霧吹き等でナノサイズ（例えば平均粒径が１〜１ｎｍ）の白金粒子が分散した白金ナノコロイドの水溶液を噴霧して、乾燥させることで、該一部を構成する繊維の表面にのみ白金ナノコロイドの白金粒子を更に定着させたことを特徴とする靴下１０が提供される。
【００３０】
また、繊維を編成、縫合して構成した靴下１０であって、着用時に足を挿入する開口部分に相当する履き口部１１と、上記履き口部１１から連続して編成され、着用時に脚に付勢力を与えるゴム口部１２と、上記ゴム口部１２から連続して編成され、着用時に脚に当接する脚部１３と、上記脚部１３から連続して編成され、着用時に足の甲に当接する足甲部１４と、上記足甲部１４から連続して編成され、着用時に爪先に当接する爪先部１５と、上記足甲部１４から連続して編成され、着用時に足底に当接する足底部１６と、上記脚部１３から連続して編成され、着用時に踵に当接する踵部１７と、を備え、上記各部１１乃至１７は繊維で構成されており、上記各部１１乃至１７の着用時に内側となる面にのみ、霧吹き等でナノサイズ（例えば平均粒径が１〜１ｎｍ）の白金粒子が分散した白金ナノコロイドの水溶液を噴霧して乾燥させることで、該各部１１乃至１７を構成する繊維の上記内側にのみ白金ナノコロイドの白金粒子を定着させたことを特徴とする靴下１０が提供される。
【００３１】
ここで、上記各部のうちの一部とは、爪先部１５、足底部１６、踵部１７の少なくともいずれかであってよいことは勿論である。
【００３２】
従って、第１の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００３３】
（第２の実施形態）
【００３４】
図３は本考案の第２の実施形態に係るパンティストッキングの構成図である。
【００３５】
図３に示されるように、このパンティストッキング２０は、パンティ部２１と、該パンティ部２１から切り替え部２２を介して連続して編成された脚部２３と、該脚部２３から連続して編成された足甲部２４と、該脚部２３から連続して編成された踵部２７と、該足甲部２４から連続して編成された爪先部２５、足底部２６からなる。脚部２３は、着用時に脚部分に当接する部分である。足甲部２４は、着用時に足の甲部分に当接する部分である。爪先部２５は、着用時に爪先に当接する部分であり、足底部２６は、着用時に足の底に当接する部分であり、踵部２７は、着用時に踵が当接する部分である。
【００３６】
このパンティストッキング２０を構成する繊維の表面には白金ナノコロイドが付着されている。より具体的には、パンティストッキング２０を白金ナノコロイドの水溶液に浸した後、乾燥させることで、該パンティストッキング２０を構成する繊維の表面に白金ナノコロイドの白金粒子を定着させている。パンティストッキング２０の所定領域にのみ、霧吹きで白金ナノコロイドの水溶液を噴霧して、乾燥させることで、該所定領域にのみ白金ナノコロイドの白金粒子を定着させるようにしてもよい。ここで、所定領域とは、爪先部２５や足底部２６、踵部２７等、着用したときに汗をかきやすい部分であってよい。
【００３７】
また、パンティストッキング２０を白金粒子が分散した白金ナノコロイドの水溶液に浸し、乾燥させることで、該パンティストッキング２０を構成する繊維の表面に白金ナノコロイドの白金粒子を定着させた後、更にパンティストッキング２０の所定領域に白金ナノコロイドの水溶液を噴霧し、乾燥させることで、該所定領域に係る繊維の表面に白金ナノコロイドの白金粒子を更に定着させてもよい。ここで、所定領域とは、爪先部２５や足底部２６、踵部２７等、着用したときに汗をかきやすい部分であってよい。また、着用したときに内側となる面に、白金粒子が分散した白金ナノコロイドの水溶液を噴霧し、乾燥させることで、パンティストッキング２０の繊維の内側の表面に白金ナノコロイドの白金粒子を定着させるようにしてもよい。
【００３８】
以上説明したように、本考案の第２の実施形態によれば、繊維を編成、縫合して構成したパンティストッキング２０であって、パンティ部２１と、該パンティ部２１から切り替え部２２を介して連続して編成され、着用時に脚に当接する脚部２３と、上記脚部２３から連続して編成され、着用時に足の甲に当接する足甲部２４と、上記足甲部２４から連続して編成され、着用時に爪先に当接する爪先部２５と、上記足甲部２４から連続して編成され、着用時に足底に当接する足底部２６と、上記脚部２３から連続して編成され、着用時に踵に当接する踵部２７と、を備え、上記各部２１乃至２７は繊維で構成されており、上記各部２１乃至２７をナノサイズ（例えば平均粒径が１〜１ｎｍ）の白金粒子が分散した白金ナノコロイドの水溶液に浸した後、乾燥させることで、上記各部２１乃至２７を構成する上記繊維の表面に白金ナノコロイドの白金粒子を定着させたことを特徴とするパンティストッキング２０が提供される。
【００３９】
また、繊維を編成、縫合して構成したパンティストッキング２０であって、パンティ部２１と、該パンティ部２１から切り替え部２２を介して連続して編成され、着用時に脚に当接する脚部２３と、上記脚部２３から連続して編成され、着用時に足の甲に当接する足甲部２４と、上記足甲部２４から連続して編成され、着用時に爪先に当接する爪先部２５と、上記足甲部２４から連続して編成され、着用時に足底に当接する足底部２６と、上記脚部２３から連続して編成され、着用時に踵に当接する踵部２７と、を備え、上記各部２１乃至２７は繊維で構成されており、上記各部２１乃至２７のうちの一部にのみ、霧吹き等でナノサイズ（例えば平均粒径が１〜１ｎｍ）の白金粒子が分散した白金ナノコロイドの水溶液を噴霧して、乾燥させることで、該一部を構成する繊維の表面にのみ白金ナノコロイドの白金粒子を定着させたことを特徴とするパンティストッキング２０が提供される。
【００４０】
また、繊維を編成、縫合して構成したパンティストッキング２０であって、パンティ部２１と、該パンティ部２１から切り替え部２２を介して連続して編成され、着用時に脚に当接する脚部２３と、上記脚部２３から連続して編成され、着用時に足の甲に当接する足甲部２４と、上記足甲部２４から連続して編成され、着用時に爪先に当接する爪先部２５と、上記足甲部２４から連続して編成され、着用時に足底に当接する足底部２６と、上記脚部２３から連続して編成され、着用時に踵に当接する踵部２７と、を備え、上記各部２１乃至２７は繊維で構成されており、上記各部２１乃至２７をナノサイズ（例えば平均粒径が１〜１ｎｍ）の白金粒子が分散した白金ナノコロイドの水溶液に浸した後、乾燥させることで、上記各部２１乃至２７を構成する上記繊維の表面に白金ナノコロイドの白金粒子を定着させた後、更に上記各部２１乃至２７のうちの一部にのみ、霧吹き等でナノサイズ（例えば平均粒径が１〜１ｎｍ）の白金粒子が分散した白金ナノコロイドの水溶液を噴霧して、乾燥させることで、該一部を構成する繊維の表面にのみ白金ナノコロイドの白金粒子を更に定着させたことを特徴とするパンティストッキング２０が提供される。
【００４１】
また、繊維を編成、縫合して構成したパンティストッキング２０であって、パンティ部２１と、該パンティ部２１から切り替え部２２を介して連続して編成され、着用時に脚に当接する脚部２３と、上記脚部２３から連続して編成され、着用時に足の甲に当接する足甲部２４と、上記足甲部２４から連続して編成され、着用時に爪先に当接する爪先部２５と、上記足甲部２４から連続して編成され、着用時に足底に当接する足底部２６と、上記脚部２３から連続して編成され、着用時に踵に当接する踵部２７と、を備え、上記各部２１乃至２７は繊維で構成されており、上記各部２１乃至２７の着用時に内側となる面にのみ、霧吹き等でナノサイズ（例えば平均粒径が１〜１ｎｍ）の白金粒子が分散した白金ナノコロイドの水溶液を噴霧して乾燥させることで、該各部２１乃至２７を構成する繊維の上記内側にのみ白金ナノコロイドの白金粒子を定着させたことを特徴とするパンティストッキング２０が提供される。
【００４２】
ここで、上記各部のうちの一部とは、爪先部２５、足底部２６、踵部２７の少なくともいずれかであってよいことは勿論である。
【００４３】
以上説明したように、本考案の第２の実施形態によれば、着用している最中に、白金ナノコロイドの抗酸化作用により、人の皮膚表面等の活性酸素が除去され、アンチエイジング、美肌効果、美髪効果が奏される。さらに、消臭効果、抗菌効果も奏される。
【００４４】
以上、本考案の実施形態について説明したが、本考案はこれに限定されることなく、その趣旨を逸脱しない範囲で種々の改良・変更が可能であることは勿論である。
【符号の説明】
【００４５】
１  白金ナノコロイド
２  繊維
１０  靴下
１１  履き口部
１２  ゴム口部
１３  脚部
１４  足甲部
１５  爪先部
１６  足底部
１７  踵部
１８  ゴアライン
２０  パンティストッキング
２１  パンティ部
２２  切り替え部
２３  脚部
２４  足甲部
２５  爪先部
２６  足底部
２７  踵部
【図１】
0003153889.tif 000003
【図２】
0003153889.tif 000004
【図３】
0003153889.tif 000005